(57)【特許請求の範囲】
【請求項１】
前胴回り部、後胴回り部、前記前胴回り部と前記後胴回り部との間に位置する股下部を有し、
前記後胴回り部の製品幅方向における端部に設けられた一対のファスニングテープと、
前記前胴回り部に設けられ、前記ファスニングテープを係合可能なターゲット領域と、
を有する使い捨ておむつであって、
製品長手方向の中心を基準とした前記前胴回り部側であって、且つ前記ターゲット領域よりも前記製品長手方向の中心側にある前側領域と、
前記前側領域内に設けられ、展開状態にて、厚さ方向において着用者の肌側とは逆側から視認可能な着色領域と、
前記製品長手方向において前記前側領域よりも着用者の肌側方向に位置し、前記着用者の肌の色を所定の割合で透過させる白色領域と、
を有し、
前記着色領域を、
ＰＡＮＴＯＮＥ（登録商標）の色見本帳における１９６Ｕ、２１７Ｕ、２５０Ｕ、４９６Ｕ、５０２Ｕ、５０３Ｕ、５１０Ｕ、５１７Ｕ、６７０Ｕ、６７１Ｕ、６７７Ｕ、６７８Ｕ、６８４Ｕ、６８５Ｕ、６９１Ｕ、６９２Ｕ、６９８Ｕ、６９９Ｕ、７０５Ｕ、７０６Ｕ、７４２２Ｕ、７４２９Ｕ、７４３０Ｕ、及び７４３６Ｕのいずれかに該当する色で着色された第１領域と、
ＰＡＮＴＯＮＥ（登録商標）の色見本帳における１９６Ｕ、２１７Ｕ、２５０Ｕ、４９６Ｕ、５０２Ｕ、５０３Ｕ、５１０Ｕ、５１７Ｕ、６７０Ｕ、６７１Ｕ、６７７Ｕ、６７８Ｕ、６８４Ｕ、６８５Ｕ、６９１Ｕ、６９２Ｕ、６９８Ｕ、６９９Ｕ、７０５Ｕ、７０６Ｕ、２６３５Ｕ、７４２２Ｕ、７４２９Ｕ、７４３０Ｕ、及び７４３６Ｕのいずれにも該当しない色で着色された第２領域とに分けた場合に、
前記第１領域の面積は、前記第２領域の面積よりも大きく、
前記使い捨ておむつの着用状態において、
前記着色領域の色、前記白色領域を透過した着用者の肌の色、着用者の肌の色の順にグラデーションが形成されることを特徴とする使い捨ておむつ。
【請求項２】
前胴回り部、後胴回り部、前記前胴回り部と前記後胴回り部との間に位置する股下部を有し、
前記後胴回り部の製品幅方向における端部に設けられた一対のファスニングテープと、
を有する使い捨ておむつであって、
前記後胴回り部の製品長手方向における端部に設けられ、着用者の肌の色を所定の割合で透過させる白色領域と、
前記製品長手方向の中心を基準とした前記後胴回り部側、且つ前記白色領域よりも前記製品長手方向の中心側の領域であって、前記ファスニングテープを含まない領域である後側領域と、
前記後側領域内に設けられ、展開状態にて、厚さ方向において着用者の肌側とは逆側から視認可能な着色領域と、
を有し、
前記着色領域を、
ＰＡＮＴＯＮＥ（登録商標）の色見本帳における１９６Ｕ、２１７Ｕ、２５０Ｕ、４９６Ｕ、５０２Ｕ、５０３Ｕ、５１０Ｕ、５１７Ｕ、６７０Ｕ、６７１Ｕ、６７７Ｕ、６７８Ｕ、６８４Ｕ、６８５Ｕ、６９１Ｕ、６９２Ｕ、６９８Ｕ、６９９Ｕ、７０５Ｕ、７０６Ｕ、７４２２Ｕ、７４２９Ｕ、７４３０Ｕ、及び７４３６Ｕのいずれかに該当する色で着色された第１領域と、
ＰＡＮＴＯＮＥ（登録商標）の色見本帳における１９６Ｕ、２１７Ｕ、２５０Ｕ、４９６Ｕ、５０２Ｕ、５０３Ｕ、５１０Ｕ、５１７Ｕ、６７０Ｕ、６７１Ｕ、６７７Ｕ、６７８Ｕ、６８４Ｕ、６８５Ｕ、６９１Ｕ、６９２Ｕ、６９８Ｕ、６９９Ｕ、７０５Ｕ、７０６Ｕ、２６３５Ｕ、７４２２Ｕ、７４２９Ｕ、７４３０Ｕ、及び７４３６Ｕのいずれにも該当しない色で着色された第２領域とに分けた場合に、
前記第１領域の面積は、前記第２領域の面積よりも大きく、
前記使い捨ておむつの着用状態において、
前記着色領域の色、前記白色領域を透過した着用者の肌の色、着用者の肌の色の順にグラデーションが形成されることを特徴とする使い捨ておむつ。
【請求項３】
前胴回り部、後胴回り部、前記前胴回り部と前記後胴回り部との間に位置する股下部を有し、
前記後胴回り部の製品幅方向における端部に設けられた一対のファスニングテープと、
を有する使い捨ておむつであって、
前記前胴回り部に設けられ、前記ファスニングテープを係合可能なターゲット領域と、
前記ターゲット領域内に設けられ、展開状態にて、厚さ方向において着用者の肌側とは逆側から視認可能な着色領域と、
製品長手方向において前記ターゲット領域よりも着用者の肌側方向に位置し、前記着用者の肌の色を所定の割合で透過させる白色領域と、
を有し、
前記着色領域を、
ＰＡＮＴＯＮＥ（登録商標）の色見本帳における１９６Ｕ、２１７Ｕ、２５０Ｕ、４９６Ｕ、５０２Ｕ、５０３Ｕ、５１０Ｕ、５１７Ｕ、６７０Ｕ、６７１Ｕ、６７７Ｕ、６７８Ｕ、６８４Ｕ、６８５Ｕ、６９１Ｕ、６９２Ｕ、６９８Ｕ、６９９Ｕ、７０５Ｕ、７０６Ｕ、７４２２Ｕ、７４２９Ｕ、７４３０Ｕ、及び７４３６Ｕのいずれかに該当する色で着色された第１領域と、
ＰＡＮＴＯＮＥ（登録商標）の色見本帳における１９６Ｕ、２１７Ｕ、２５０Ｕ、４９６Ｕ、５０２Ｕ、５０３Ｕ、５１０Ｕ、５１７Ｕ、６７０Ｕ、６７１Ｕ、６７７Ｕ、６７８Ｕ、６８４Ｕ、６８５Ｕ、６９１Ｕ、６９２Ｕ、６９８Ｕ、６９９Ｕ、７０５Ｕ、７０６Ｕ、２６３５Ｕ、７４２２Ｕ、７４２９Ｕ、７４３０Ｕ、及び７４３６Ｕのいずれにも該当しない色で着色された第２領域とに分けた場合に、
前記第１領域の面積は、前記第２領域の面積よりも大きく、
前記使い捨ておむつの着用状態において、
前記着色領域の色、前記白色領域を透過した着用者の肌の色、着用者の肌の色の順にグラデーションが形成されることを特徴とする使い捨ておむつ。
【請求項４】
前記前胴回り部の端部に形成され、製品長手方向に凹んだ凹部を有し、
前記製品長手方向における前記凹部の底面から前記着色領域までの長さは、前記製品長手方向における前記白色領域の長さよりも短いことを特徴とする請求項３記載の使い捨ておむつ。
【請求項５】
前記第１領域は、前記製品幅方向に沿って形成され、
前記第２領域は、製品長手方向及び前記製品幅方向において前記第１領域よりも前記ターゲット領域の中央側に形成され、
前記第２領域は、前記ファスニングテープを前記ターゲット領域に係合した場合に当該ファスニングテープにより少なくともその一部が覆われる位置に設けられていることを特徴とする請求項３または４記載の使い捨ておむつ。
【請求項６】
前胴回り部、後胴回り部、前記前胴回り部と前記後胴回り部との間に位置する股下部を有し、
前記後胴回り部の製品幅方向における端部に設けられた一対のファスニングテープと、
前記前胴回り部に設けられ、前記ファスニングテープを係合可能なターゲット領域と、
を有する使い捨ておむつであって、
前記ファスニングテープに設けられ、展開状態にて、厚さ方向において着用者の肌側とは逆側から視認可能な着色領域と、
前記ファスニングテープを前記ターゲット領域に係合させることにより前記使い捨ておむつを着用させた場合に、製品長手方向において前記ファスニングテープよりも着用者の肌側方向に位置し、前記着用者の肌の色を所定の割合で透過させる白色領域と、
を有し、
前記着色領域を、
ＰＡＮＴＯＮＥ（登録商標）の色見本帳における１９６Ｕ、２１７Ｕ、２５０Ｕ、４９６Ｕ、５０２Ｕ、５０３Ｕ、５１０Ｕ、５１７Ｕ、６７０Ｕ、６７１Ｕ、６７７Ｕ、６７８Ｕ、６８４Ｕ、６８５Ｕ、６９１Ｕ、６９２Ｕ、６９８Ｕ、６９９Ｕ、７０５Ｕ、７０６Ｕ、７４２２Ｕ、７４２９Ｕ、７４３０Ｕ、及び７４３６Ｕのいずれかに該当する色で着色された第１領域と、
ＰＡＮＴＯＮＥ（登録商標）の色見本帳における１９６Ｕ、２１７Ｕ、２５０Ｕ、４９６Ｕ、５０２Ｕ、５０３Ｕ、５１０Ｕ、５１７Ｕ、６７０Ｕ、６７１Ｕ、６７７Ｕ、６７８Ｕ、６８４Ｕ、６８５Ｕ、６９１Ｕ、６９２Ｕ、６９８Ｕ、６９９Ｕ、７０５Ｕ、７０６Ｕ、２６３５Ｕ、７４２２Ｕ、７４２９Ｕ、７４３０Ｕ、及び７４３６Ｕのいずれにも該当しない色で着色された第２領域とに分けた場合に、
前記第１領域の面積は、前記第２領域の面積よりも大きく、
前記使い捨ておむつの着用状態において、
前記着色領域の色、前記白色領域を透過した着用者の肌の色、着用者の肌の色の順にグラデーションが形成されることを特徴とする使い捨ておむつ。
【請求項７】
製品長手方向において、前記前胴回り部、前記股下部及び前記後胴回り部にわたって配置される、液体不透過性の防漏シートを有し、
前記製品長手方向における前記防漏シートの端部は、前記白色領域の一部にのみかかるように配置されることを特徴とする請求項１〜６のいずれか一つに記載の使い捨ておむつ。
【請求項８】
前胴回り部、後胴回り部、前記前胴回り部と前記後胴回り部との間に位置する股下部を有し、
前記前胴回り部、後胴回り部及び股下部の製品幅方向における端部に設けられるサイドフラップと、
前記サイドフラップに設けられるレックギャザーを構成する弾性部材と、
を有する使い捨ておむつであって、
前記使い捨ておむつにおいて前記弾性部材が占める領域に対応する足回り領域と、
前記足回り領域内に設けられ、展開状態にて、厚さ方向において着用者の肌側とは逆側から視認可能な着色領域と、
製品幅方向において前記足回り領域よりも着用者の肌側方向に位置し、前記着用者の肌の色を所定の割合で透過させる白色領域と、
を有し、
前記着色領域を、
ＰＡＮＴＯＮＥ（登録商標）の色見本帳における１９６Ｕ、２１７Ｕ、２５０Ｕ、４９６Ｕ、５０２Ｕ、５０３Ｕ、５１０Ｕ、５１７Ｕ、６７０Ｕ、６７１Ｕ、６７７Ｕ、６７８Ｕ、６８４Ｕ、６８５Ｕ、６９１Ｕ、６９２Ｕ、６９８Ｕ、６９９Ｕ、７０５Ｕ、７０６Ｕ、７４２２Ｕ、７４２９Ｕ、７４３０Ｕ、及び７４３６Ｕのいずれかに該当する色で着色された第１領域と、
ＰＡＮＴＯＮＥ（登録商標）の色見本帳における１９６Ｕ、２１７Ｕ、２５０Ｕ、４９６Ｕ、５０２Ｕ、５０３Ｕ、５１０Ｕ、５１７Ｕ、６７０Ｕ、６７１Ｕ、６７７Ｕ、６７８Ｕ、６８４Ｕ、６８５Ｕ、６９１Ｕ、６９２Ｕ、６９８Ｕ、６９９Ｕ、７０５Ｕ、７０６Ｕ、２６３５Ｕ、７４２２Ｕ、７４２９Ｕ、７４３０Ｕ、及び７４３６Ｕのいずれにも該当しない色で着色された第２領域とに分けた場合に、
前記第１領域の面積は、前記第２領域の面積よりも大きく、
前記使い捨ておむつの着用状態において、
前記着色領域の色、前記白色領域を透過した着用者の肌の色、着用者の肌の色の順にグラデーションが形成されることを特徴とする使い捨ておむつ。
【請求項９】
前第１領域に着色された色は、ＲＧＢ表色系に基づくＲの値が２５５〜２３２、Ｇの値が１９０〜２４５、及びＢの値が１８５〜２４５の範囲にある色であることを特徴とする請求項１〜８のいずれか一つに記載の使い捨ておむつ。
【請求項１０】
前記白色領域は、その光線透過率が前記着色領域の光線透過率よりも高くなるように形成されていることを特徴とする請求項１〜９のいずれか一つに記載の使い捨ておむつ。
【請求項１１】
前記白色領域の光線透過率は、２５％以上であって８０％未満であることを特徴とする請求項１０記載の使い捨ておむつ。
【請求項１２】
前記白色領域の光線透過率は、３５％以上であって８０％未満であることを特徴とする請求項１１記載の使い捨ておむつ。
【請求項１３】
前記着色領域が設けられる領域内に、前記使い捨ておむつの前後、前記使い捨ておむつのサイズ、及び前記使い捨ておむつの種類の少なくとも一つを判別するための情報を示す情報表示領域を有し、
当該情報表示領域は、前記第１領域と同じ色で着色されていることを特徴とする請求項１〜１２のいずれか一つに記載の使い捨ておむつ。
【発明の詳細な説明】
【技術分野】
【０００１】
本発明は、使い捨ておむつに関する。
【背景技術】
【０００２】
吸収性物品において、所定の目的を達成するためにその一部に着色を施したものがある。たとえば、排泄物の色を隠蔽するためにある一定の色相（マンセル表色系の５．７〜８．７の範囲）に着色されたパンティーライナーがある（特許文献１参照）。或いは、排尿によって生じた変色等の視認性を高めるために、親水性の剤が視覚的に変化する前後いずれかの色と模様の色とを類似色にした使い捨ておむつがある（特許文献２参照）。
【先行技術文献】
【特許文献】
【０００３】
【特許文献１】特開２００４−１３００５６号公報
【特許文献２】特開２００４−３３７３８５号公報
【発明の概要】
【発明が解決しようとする課題】
【０００４】
吸収性物品として、出生時の体重が３０００ｇ以下の低体重児に使用する使い捨ておむつがある。低体重児は、出生直後は新生児集中治療室（ＮＩＣＵ）や回復治療室（ＧＣＵ）の保育器内で過ごすことが多い。保育器内では身に着けるものがおむつのみであることが多いため、通常サイズのおむつに比べてその外観がより重要となる。
【０００５】
低体重児は、本来母親の胎内で成長する時期に何らかの影響で出産が早まった児である。低体重児は、代謝・血流等の影響で肌の色が一般の新生児と比べて浅黒くなりやすい場合も見られる。
【０００６】
また、保育器に入っている低体重児の場合、絶対安静を優先させるため、母親が接する機会も自由ではない。よって、母親の母性形成を促すには、児をよりかわいく感じさせることが求められる。また、低体重児を持つ母親の中には、予定より早く児を産んだことで申し訳ないという気持ちになったり、自分を責めたり、落ち込んだりすることがある。よって、低体重児用の使い捨ておむつには、そのような精神的に不安定な母親（或いは面会に来た家族等）の気持ちを和らげ、安心感を与える効果も求められる。
【０００７】
更に、保育器内は母体（子宮内）を再現するよう環境作りが行われているため、子宮内と同じよう照度が暗く設定されていることが多い。よって、使い捨ておむつの外観を工夫したとしても、保育器の外から見る場合には効果が得られない可能性もある。すなわち、薄暗い保育器内に児がいる場合でも、保育器の外から児を見たときに身に着けているおむつが分かり易いことも重要となる。
【０００８】
また、低体重児は、身体機能・生命維持機能が不安定な場合があり、血便や血尿を伴う場合がある。よって、使い捨ておむつに血の色に近い赤系・橙系の強めの色味を用いると、看護師等が血便や血尿があると誤認しやすいという問題もある。
【０００９】
本発明は、前述の問題点を解決するためになされたものであり、低体重児の肌の色を良く見せ、母親等に安心感を与え、保育器外からも視認性が高く、且つ血便や血尿等の誤認の可能性を低減させることが可能な使い捨ておむつを提供することを目的とする。
【課題を解決するための手段】
【００１０】
上記目的を達成するための発明の一例は、  前胴回り部、後胴回り部、前記前胴回り部と前記後胴回り部との間に位置する股下部を有し、
前記後胴回り部の製品幅方向における端部に設けられた一対のファスニングテープと、
前記前胴回り部に設けられ、前記ファスニングテープを係合可能なターゲット領域と、
を有する使い捨ておむつであって、
製品長手方向の中心を基準とした前記前胴回り部側であって、且つ前記ターゲット領域よりも前記製品長手方向の中心側にある前側領域と、
前記前側領域内に設けられ、展開状態にて、厚さ方向において着用者の肌側とは逆側から視認可能な着色領域と、
前記製品長手方向において前記前側領域よりも着用者の肌側方向に位置し、前記着用者の肌の色を所定の割合で透過させる白色領域と、
を有し、
前記着色領域を、
ＰＡＮＴＯＮＥ（登録商標）の色見本帳における１９６Ｕ、２１７Ｕ、２５０Ｕ、４９６Ｕ、５０２Ｕ、５０３Ｕ、５１０Ｕ、５１７Ｕ、６７０Ｕ、６７１Ｕ、６７７Ｕ、６７８Ｕ、６８４Ｕ、６８５Ｕ、６９１Ｕ、６９２Ｕ、６９８Ｕ、６９９Ｕ、７０５Ｕ、７０６Ｕ、７４２２Ｕ、７４２９Ｕ、７４３０Ｕ、及び７４３６Ｕのいずれかに該当する色で着色された第１領域と、
ＰＡＮＴＯＮＥ（登録商標）の色見本帳における１９６Ｕ、２１７Ｕ、２５０Ｕ、４９６Ｕ、５０２Ｕ、５０３Ｕ、５１０Ｕ、５１７Ｕ、６７０Ｕ、６７１Ｕ、６７７Ｕ、６７８Ｕ、６８４Ｕ、６８５Ｕ、６９１Ｕ、６９２Ｕ、６９８Ｕ、６９９Ｕ、７０５Ｕ、７０６Ｕ、２６３５Ｕ、７４２２Ｕ、７４２９Ｕ、７４３０Ｕ、及び７４３６Ｕのいずれにも該当しない色で着色された第２領域とに分けた場合に、
前記第１領域の面積は、前記第２領域の面積よりも大きく、
前記使い捨ておむつの着用状態において、
前記着色領域の色、前記白色領域を透過した着用者の肌の色、着用者の肌の色の順にグラデーションが形成されることを特徴とする。
【００１１】
本発明の他の例については、本明細書及び添付図面の記載により明らかにする。
【発明の効果】
【００１２】
本発明の使い捨ておむつは、低体重児の肌の色を良く見せ、母親等に安心感を与え、保育器外からも視認性が高く、且つ看護師等が血便や血尿等を誤認する可能性を低減することができる。
【図面の簡単な説明】
【００１３】
【図１】図１は、使い捨ておむつ１の展開平面図である。
【図２】図２Ａ〜図２Ｃは、使い捨ておむつ１の各部の分解説明図である。図２Ａは、前胴回り部３の分解説明図である。図２Ｂは、股下部５の分解説明図である。図２Ｃは、後胴回り部７の分解説明図である。
【図３】図３Ａ及び図３Ｂは、ファスニングテープ３０の説明図である。
【図４Ａ】図４Ａは、使い捨ておむつ１の展開平面図（図１の裏面）である。
【図４Ｂ】図４Ｂは、使い捨ておむつ１の展開平面図（図１の裏面）である。
【図４Ｃ】図４Ｃは、使い捨ておむつ１の展開平面図（図１の裏面）である。
【図５】図５は、使い捨ておむつ１の展開平面図（図１の裏面）である。
【図６】図６は、使い捨ておむつ１の着用図である。
【図７】図７Ａは、ターゲット領域Ｅ３近傍の拡大図である。図７Ｂは、下側になるファスニングテープ３０をターゲットテープ２９に係合したときの説明図である。図７Ｃは、図７Ｂのファスニングテープ３０上に他方のファスニングテープ３０を係合したときの説明図である。
【発明を実施するための形態】
【００１４】
本明細書及び添付図面の記載により、少なくとも以下の事項が明らかとなる。
【００１５】
前胴回り部、後胴回り部、前記前胴回り部と前記後胴回り部との間に位置する股下部を有し、前記後胴回り部の製品幅方向における端部に設けられた一対のファスニングテープと、前記前胴回り部に設けられ、前記ファスニングテープを係合可能なターゲット領域と、を有する使い捨ておむつであって、製品長手方向の中心を基準とした前記前胴回り部側であって、且つ前記ターゲット領域よりも前記製品長手方向の中心側にある前側領域と、前記前側領域内に設けられ、視認可能な着色領域と、前記前側領域よりも着用者の肌側方向に位置し、前記着用者の肌の色を所定の割合で透過させる白色領域と、を有し、前記着色領域を、ＰＡＮＴＯＮＥ（登録商標）の色見本帳における１９６Ｕ、２１７Ｕ、２５０Ｕ、４９６Ｕ、５０２Ｕ、５０３Ｕ、５１０Ｕ、５１７Ｕ、６７０Ｕ、６７１Ｕ、６７７Ｕ、６７８Ｕ、６８４Ｕ、６８５Ｕ、６９１Ｕ、６９２Ｕ、６９８Ｕ、６９９Ｕ、７０５Ｕ、７０６Ｕ、２６３５Ｕ、７４２２Ｕ、７４２９Ｕ、７４３０Ｕ、及び７４３６Ｕのいずれかに該当する色で着色された第１領域と、ＰＡＮＴＯＮＥ（登録商標）の色見本帳における１９６Ｕ、２１７Ｕ、２５０Ｕ、４９６Ｕ、５０２Ｕ、５０３Ｕ、５１０Ｕ、５１７Ｕ、６７０Ｕ、６７１Ｕ、６７７Ｕ、６７８Ｕ、６８４Ｕ、６８５Ｕ、６９１Ｕ、６９２Ｕ、６９８Ｕ、６９９Ｕ、７０５Ｕ、７０６Ｕ、２６３５Ｕ、７４２２Ｕ、７４２９Ｕ、７４３０Ｕ、及び７４３６Ｕのいずれにも該当しない色で着色された第２領域とに分けた場合に、前記第１領域の面積は、前記第２領域の面積よりも大きいことを特徴とする使い捨ておむつ。
このような使い捨ておむつによれば、前側領域において、ＰＡＮＴＯＮＥ（登録商標）の色見本帳における所定の色（薄い桃色）で着色された領域をそれ以外の色で着色された領域よりも広く設けたため、使い捨ておむつを着用させる際、或いは着用時に、薄い桃色〜肌が透けた色（白色領域の白色と肌の色とが混色した色）〜腹部の肌の色のグラデーションが得られる。よって、低体重児のくすんだ肌色を良く見せることができる。特に、前側領域は、使い捨ておむつを児に着用した場合であってもファスニングテープ等で隠れる面積が少ないため、使い捨ておむつを着用した児が仰向けに寝ている場合に目に入りやすい領域である。この部分に薄い桃色を多く配置することで、母親等に安心感を与えることができる。更に、着色領域に薄い桃色を用いることで、保育器外からも使い捨ておむつを視認しやすく、且つ血便や血尿等を誤認する可能性も低い。
【００１６】
前胴回り部、後胴回り部、前記前胴回り部と前記後胴回り部との間に位置する股下部を有し、前記後胴回り部の製品幅方向における端部に設けられた一対のファスニングテープと、を有する使い捨ておむつであって、前記後胴回り部の製品長手方向における端部に設けられ、着用者の肌の色を所定の割合で透過させる白色領域と、前記製品長手方向の中心を基準とした前記後胴回り部側、且つ前記白色領域よりも前記製品長手方向の中心側の領域であって、前記ファスニングテープを含まない領域である後側領域と、前記後側領域内に設けられ、視認可能な着色領域と、を有し、前記着色領域を、ＰＡＮＴＯＮＥ（登録商標）の色見本帳における１９６Ｕ、２１７Ｕ、２５０Ｕ、４９６Ｕ、５０２Ｕ、５０３Ｕ、５１０Ｕ、５１７Ｕ、６７０Ｕ、６７１Ｕ、６７７Ｕ、６７８Ｕ、６８４Ｕ、６８５Ｕ、６９１Ｕ、６９２Ｕ、６９８Ｕ、６９９Ｕ、７０５Ｕ、７０６Ｕ、２６３５Ｕ、７４２２Ｕ、７４２９Ｕ、７４３０Ｕ、及び７４３６Ｕのいずれかに該当する色で着色された第１領域と、ＰＡＮＴＯＮＥ（登録商標）の色見本帳における１９６Ｕ、２１７Ｕ、２５０Ｕ、４９６Ｕ、５０２Ｕ、５０３Ｕ、５１０Ｕ、５１７Ｕ、６７０Ｕ、６７１Ｕ、６７７Ｕ、６７８Ｕ、６８４Ｕ、６８５Ｕ、６９１Ｕ、６９２Ｕ、６９８Ｕ、６９９Ｕ、７０５Ｕ、７０６Ｕ、２６３５Ｕ、７４２２Ｕ、７４２９Ｕ、７４３０Ｕ、及び７４３６Ｕのいずれにも該当しない色で着色された第２領域とに分けた場合に、前記第１領域の面積は、前記第２領域の面積よりも大きいことを特徴とする使い捨ておむつ。
このような使い捨ておむつによれば、後側領域において、ＰＡＮＴＯＮＥ（登録商標）の色見本帳における所定の色（薄い桃色）で着色された領域をそれ以外の色で着色された領域よりも広く設けたため、使い捨ておむつを着用させる際、或いは着用時に、薄い桃色〜肌が透けた色（白色領域の白色と肌の色とが混色した色）〜背部の肌の色のグラデーションが得られる。よって、低体重児のくすんだ肌色を良く見せることができる。また、後側領域は、うつ伏せに寝ている児を見る際（うつ伏せに寝ている児に使い捨ておむつを着用させる際）に最も目に入る領域である。この部分に薄い桃色を多く配置することで、母親等に安心感を与えることができる。更に、着色領域に薄い桃色を用いることで、保育器外からも使い捨ておむつを視認しやすく、且つ血便や血尿等を誤認する可能性も低い。
【００１７】
前胴回り部、後胴回り部、前記前胴回り部と前記後胴回り部との間に位置する股下部を有し、前記後胴回り部の製品幅方向における端部に設けられた一対のファスニングテープと、を有する使い捨ておむつであって、前記前胴回り部に設けられ、前記ファスニングテープを係合可能なターゲット領域と、前記ターゲット領域内に設けられ、視認可能な着色領域と、前記ターゲット領域よりも着用者の肌側方向に位置し、前記着用者の肌の色を所定の割合で透過させる白色領域と、を有し、前記着色領域を、ＰＡＮＴＯＮＥ（登録商標）の色見本帳における１９６Ｕ、２１７Ｕ、２５０Ｕ、４９６Ｕ、５０２Ｕ、５０３Ｕ、５１０Ｕ、５１７Ｕ、６７０Ｕ、６７１Ｕ、６７７Ｕ、６７８Ｕ、６８４Ｕ、６８５Ｕ、６９１Ｕ、６９２Ｕ、６９８Ｕ、６９９Ｕ、７０５Ｕ、７０６Ｕ、２６３５Ｕ、７４２２Ｕ、７４２９Ｕ、７４３０Ｕ、及び７４３６Ｕのいずれかに該当する色で着色された第１領域と、ＰＡＮＴＯＮＥ（登録商標）の色見本帳における１９６Ｕ、２１７Ｕ、２５０Ｕ、４９６Ｕ、５０２Ｕ、５０３Ｕ、５１０Ｕ、５１７Ｕ、６７０Ｕ、６７１Ｕ、６７７Ｕ、６７８Ｕ、６８４Ｕ、６８５Ｕ、６９１Ｕ、６９２Ｕ、６９８Ｕ、６９９Ｕ、７０５Ｕ、７０６Ｕ、２６３５Ｕ、７４２２Ｕ、７４２９Ｕ、７４３０Ｕ、及び７４３６Ｕのいずれにも該当しない色で着色された第２領域とに分けた場合に、前記第１領域の面積は、前記第２領域の面積よりも大きいことを特徴とする使い捨ておむつ。
このような使い捨ておむつによれば、ターゲット領域において、ＰＡＮＴＯＮＥ（登録商標）の色見本帳における所定の色（薄い桃色）で着色された領域をそれ以外の色で着色された領域よりも広く設けたため、低体重児におむつを着用する際に、薄い桃色〜肌が透けた色（白色領域の白色と肌の色とが混色した色）〜腹部の肌の色のグラデーションが得られる。よって、低体重児のくすんだ肌色を良く見せることができる。また、使い捨ておむつを着用する際、母親等はファスニングテープを係合するためにターゲット領域を注視する。よって、この部分に薄い桃色を多く配置することで、使い捨ておむつを着用する際に母親等に安心感を与えることができる。更に、着色領域に薄い桃色を用いることで、保育器外からも使い捨ておむつを視認しやすく、且つ血便や血尿等を誤認する可能性も低い。
また、このような使い捨ておむつは、前記前胴回り部の端部に形成され、製品長手方向に凹んだ凹部を有し、前記製品長手方向における前記凹部の底面から前記着色領域までの長さは、前記製品長手方向における前記白色領域の長さよりも短いことが望ましい。
このように構成することで、凹部では、着色領域と着用者の肌が近づくため、着色領域の色をよりよく見せることができる。更に、肌に対して白色領域が接する範囲が増えるため、グラデーションの効果をより得ることができる。
また、このような使い捨ておむつにおいて、前記第１領域は、前記製品幅方向に沿って形成され、前記第２領域は、製品長手方向及び前記製品幅方向において前記第１領域よりも前記ターゲット領域の中央側に形成され、前記第２領域は、前記ファスニングテープを前記ターゲット領域に係合した場合に当該ファスニングテープにより少なくともその一部が覆われる位置に設けられていることが望ましい。
このように構成することで、使い捨ておむつの着用時には第２領域の少なくとも一部の色が視認できなくなる。よって、ターゲット領域における他の色（すなわち、第１領域の薄い桃色）をより視認しやすくなる。
また、このような使い捨ておむつにおいて、前記一対のファスニングテープは、前記ファスニングテープのテープ幅方向の中心を合わせた状態で、一方のファスニングテープに他方のファスニングテープを重ねて前記ターゲット領域に係合可能であり、前記テープ幅方向の長さは、前記着色領域の前記製品長手方向の長さよりも短く形成されていることが望ましい。
このように構成することで、第２領域をファスニングテープで覆った状態であっても、ファスニングテープの上下には、第１領域の一部が現れる。すなわち、このようなファスニングテープの止め方を行った場合であっても、使い捨ておむつの着用時は、薄い桃色〜肌が透けた色〜腹部の肌の色のグラデーションが得られるため、肌を明るく見せることができる。
【００１８】
前胴回り部、後胴回り部、前記前胴回り部と前記後胴回り部との間に位置する股下部を有し、前記後胴回り部の製品幅方向における端部に設けられた一対のファスニングテープと、前記前胴回り部に設けられ、前記ファスニングテープを係合可能なターゲット領域と、を有する使い捨ておむつであって、前記ファスニングテープに設けられ、視認可能な着色領域と、前記ファスニングテープを前記ターゲット領域に係合させることにより前記使い捨ておむつを着用させた場合に、前記ファスニングテープよりも着用者の肌側方向に位置し、前記着用者の肌の色を所定の割合で透過させる白色領域と、を有し、前記着色領域を、ＰＡＮＴＯＮＥ（登録商標）の色見本帳における１９６Ｕ、２１７Ｕ、２５０Ｕ、４９６Ｕ、５０２Ｕ、５０３Ｕ、５１０Ｕ、５１７Ｕ、６７０Ｕ、６７１Ｕ、６７７Ｕ、６７８Ｕ、６８４Ｕ、６８５Ｕ、６９１Ｕ、６９２Ｕ、６９８Ｕ、６９９Ｕ、７０５Ｕ、７０６Ｕ、２６３５Ｕ、７４２２Ｕ、７４２９Ｕ、７４３０Ｕ、及び７４３６Ｕのいずれかに該当する色で着色された第１領域と、ＰＡＮＴＯＮＥ（登録商標）の色見本帳における１９６Ｕ、２１７Ｕ、２５０Ｕ、４９６Ｕ、５０２Ｕ、５０３Ｕ、５１０Ｕ、５１７Ｕ、６７０Ｕ、６７１Ｕ、６７７Ｕ、６７８Ｕ、６８４Ｕ、６８５Ｕ、６９１Ｕ、６９２Ｕ、６９８Ｕ、６９９Ｕ、７０５Ｕ、７０６Ｕ、２６３５Ｕ、７４２２Ｕ、７４２９Ｕ、７４３０Ｕ、及び７４３６Ｕのいずれにも該当しない色で着色された第２領域とに分けた場合に、前記第１領域の面積は、前記第２領域の面積よりも大きいことを特徴とする使い捨ておむつ。
このような使い捨ておむつによれば、ファスニングテープにおいて、ＰＡＮＴＯＮＥ（登録商標）の色見本帳における所定の色（薄い桃色）で着色された領域をそれ以外の色で着色された領域よりも広く設けたため、使い捨ておむつを着用させた際に、薄い桃色〜肌が透けた色（白色領域の白色と肌の色とが混色した色）〜腹部の肌の色のグラデーションが得られる。よって、低体重児のくすんだ肌色を良く見せることができる。また、ファスニングテープは、使い捨ておむつを児に着用する際に把持する部分であることから、注視しやすい部分である。よって、この部分に薄い桃色を多く配置することで、母親等に安心感を与えることができる。更に、着色領域に薄い桃色を用いることで、保育器外からも使い捨ておむつを視認しやすく、且つ血便や血尿等を誤認する可能性も低い。
【００１９】
また、このような使い捨ておむつは、製品長手方向において、前記前胴回り部、前記股下部及び前記後胴回り部にわたって配置される、液体不透過性の防漏シートを有し、前記製品長手方向における前記防漏シートの端部は、前記白色領域の一部にのみかかるように配置されることが望ましい。
このように構成することで、使い捨ておむつの中心から着用者の肌側方向に向けて、第１領域、防漏シートがある白色領域、防漏シートが無い白色領域、肌の順になるため、グラデーションがより明確になり、肌の色をより明るく見せる効果が得られる。
【００２０】
前胴回り部、後胴回り部、前記前胴回り部と前記後胴回り部との間に位置する股下部を有し、前記前胴回り部、後胴回り部及び股下部の製品幅方向における端部に設けられるサイドフラップと、前記サイドフラップに設けられるレックギャザーを構成する弾性部材と、を有する使い捨ておむつであって、前記使い捨ておむつにおいて前記弾性部材が占める領域に対応する足回り領域と、前記足回り領域内に設けられ、視認可能な着色領域と、前記足回り領域よりも着用者の肌側方向に位置し、前記着用者の肌の色を所定の割合で透過させる白色領域と、を有し、前記着色領域を、ＰＡＮＴＯＮＥ（登録商標）の色見本帳における１９６Ｕ、２１７Ｕ、２５０Ｕ、４９６Ｕ、５０２Ｕ、５０３Ｕ、５１０Ｕ、５１７Ｕ、６７０Ｕ、６７１Ｕ、６７７Ｕ、６７８Ｕ、６８４Ｕ、６８５Ｕ、６９１Ｕ、６９２Ｕ、６９８Ｕ、６９９Ｕ、７０５Ｕ、７０６Ｕ、２６３５Ｕ、７４２２Ｕ、７４２９Ｕ、７４３０Ｕ、及び７４３６Ｕのいずれかに該当する色で着色された第１領域と、ＰＡＮＴＯＮＥ（登録商標）の色見本帳における１９６Ｕ、２１７Ｕ、２５０Ｕ、４９６Ｕ、５０２Ｕ、５０３Ｕ、５１０Ｕ、５１７Ｕ、６７０Ｕ、６７１Ｕ、６７７Ｕ、６７８Ｕ、６８４Ｕ、６８５Ｕ、６９１Ｕ、６９２Ｕ、６９８Ｕ、６９９Ｕ、７０５Ｕ、７０６Ｕ、２６３５Ｕ、７４２２Ｕ、７４２９Ｕ、７４３０Ｕ、及び７４３６Ｕのいずれにも該当しない色で着色された第２領域とに分けた場合に、前記第１領域の面積は、前記第２領域の面積よりも大きいことを特徴とする使い捨ておむつ。
このような使い捨ておむつによれば、足回り領域において、ＰＡＮＴＯＮＥ（登録商標）の色見本帳における所定の色（薄い桃色）で着色された領域をそれ以外の色で着色された領域よりも広く設けたため、使い捨ておむつを着用した場合に、薄い桃色〜肌が透けた色（白色領域の白色と肌の色とが混色した色）〜足回りの肌の色のグラデーションが得られる。よって、低体重児のくすんだ肌色を良く見せることができる。また、児が足を動かした場合には足回り領域も足と一緒に動くため薄い桃色が目に入り易く、母親等に安心感を与えることができる。更に、着色領域に薄い桃色を用いることで、保育器外からも使い捨ておむつを視認しやすく、且つ血便や血尿等を誤認する可能性も低い。
【００２１】
また、前第１領域に着色された色は、ＲＧＢ表色系に基づくＲの値が２５５〜２３２、Ｇの値が１９０〜２４５、及びＢの値が１８５〜２４５の範囲にある色である。
このように、第１領域に着色された色は、ＲＧＢ表色系でも表すことができる。
【００２２】
また、前記白色領域は、その光線透過率が前記着色領域の光線透過率よりも高くなるように形成されていることが望ましい。
このように光線透過率を高めることにより、白色領域において肌の色が透けて見える。すなわち、使い捨ておむつを着用した場合、薄い桃色〜肌が透けた色（白色領域の白色と肌の色とが混色した色）〜肌の色のグラデーションが形成される。よって、肌の色を明るく見せることができる。
このような前記白色領域の光線透過率は、２５％以上であって８０％未満であることが望ましい。より好ましくは、前記白色領域の光線透過率は、３５％以上であって８０％未満であることが望ましい。白色領域の光線透過率をこれらの範囲で設定することにより、グラデーションに適した肌の透け感（白色領域の白色と肌の色との混色の度合い）を出すことができる。
【００２３】
また、使い捨ておむつは、前記着色領域が設けられる領域内に、前記使い捨ておむつの前後、前記使い捨ておむつのサイズ、及び前記使い捨ておむつの種類の少なくとも一つを判別するための情報を示す情報表示領域を有し、当該情報表示領域は、前記第１領域と同じ色で着色されていることが望ましい。
情報表示領域は、使い捨ておむつを児に着用させる際等に母親等が注視する部分である。よって、この領域を薄い桃色で着色することにより、母親等が当該領域を注視した際に安心感を与えることができる。
【００２４】
＝＝＝本実施形態＝＝＝
＜使い捨ておむつ１の概略形状＞
本実施形態の使い捨ておむつ１は、出生時の体重が３０００ｇ以下の低体重児のための使い捨ておむつである。特に、出生時の体重が２５００ｇ未満の低出生体重児に好適に用いられる。なお、低体重児には、低出生体重児だけでなく、極低出生体重児（出生時の体重１５００ｇ未満）や超低出生体重児（出生時の体重１０００ｇ未満）も含まれる。
【００２５】
図１は、低体重児用の使い捨ておむつ１の展開平面図（使い捨ておむつ１を表側から見た図）である。図２Ａ〜図２Ｃは、低体重児用の使い捨ておむつ１の各部の分解説明図である。図２Ａは、前胴回り部３の分解説明図である。図２Ｂは、股下部５の分解説明図である。図２Ｃは、後胴回り部７の分解説明図である。図３Ａは、ファスニングテープ３０を表側から見た図である。図３Ｂは、ファスニングテープ３０の周辺の断面図である。
【００２６】
本実施形態の使い捨ておむつ１は、いわゆるオープンタイプの使い捨ておむつであり、図１に示すように、前胴回り部３と、股下部５と、後胴回り部７とを有する。前胴回り部３は、着用者の前胴回り（腹側）に位置することになる部分である。また、後胴回り部７は、着用者の後胴回り（背側）に位置することになる部分である。股下部５は、前胴回り部３と後胴回り部７との間に位置することになる部分である。
【００２７】
以下の説明では、図１に示すように、各方向を定義する。すなわち、前胴回り部３から後胴回り部７に向かう方向を「製品長手方向Ｌ」とし、製品長手方向Ｌと直交する方向を「製品幅方向Ｗ」とする。また、図２に示すように、製品長手方向Ｌ及び製品幅方向Ｗと直交する方向を「厚さ方向」とし、厚さ方向において、着用者の肌の側を「表側」とし、その逆側を「裏側」とする。
【００２８】
使い捨ておむつ１は、中央帯状領域１２と、サイドフラップ１４と、レッグサイドギャザー１６と、ウェストギャザー１８とを有する。一対のサイドフラップ１４には、ファスニングテープ３０がそれぞれ取り付けられている。
【００２９】
中央帯状領域１２は、前胴回り部３、股下部５及び後胴回り部７によって構成された幅方向Ｗの中央部に位置する帯状の領域である（図１参照）。中央帯状領域１２は、液体を吸収し保持する部位である。中央帯状領域１２は、液保持性の吸収体２１を含む縦長の形状（製品長手方向Ｌに沿った形状）を有する。中央帯状領域１２は、主に、吸収体２１、トップシート２２、防漏シート２３及びバックシート２４を有する（図２Ａ〜図２Ｃ参照）。
【００３０】
吸収体２１は、前胴回り部３、股下部５及び後胴回り部７にわたって配置されている。図１のハッチングの領域は、吸収体２１の占める領域を示している。吸収体２１は、製品長手方向Ｌの中央部における幅が狭くなるような砂時計形状を有する。吸収体２１は、トップシート２２及び防漏シート２３に挟まれて配置されている。
【００３１】
トップシート２２は、吸収体２１の表側（図中の上側）に配置された液透過性の部材である。防漏シート２３は、吸収体２１の裏側（図中の下側）に配置された液不透過性の部材である。防漏シート２３は、製品長手方向Ｌにおいて、前胴回り部３、股下部５及び後胴回り部７にわたって配置される。バックシート２４は、使い捨ておむつ１の裏側の外装を構成する部材（外装シート）であり、不織布で構成されている。防漏シート２３の裏側にはバックシート２４が配置されている。
【００３２】
中央帯状領域１２の股下部５では、吸収体２１とバックシート２４との間に、伸縮フィルム２５が配置されている。伸縮フィルム２５は、股下部５の中央帯状領域１２に伸縮性を付与する部材である。
【００３３】
サイドフラップ１４は、製品幅方向Ｗの両側縁部に位置する部位である。サイドフラップ１４は、前胴回り部３、股下部５及び後胴回り部７の製品幅方向Ｗの端部に形成されている（図１参照）。股下部５におけるサイドフラップ１４の幅は、前胴回り部３及び後胴回り部７におけるサイドフラップ１４の幅よりも狭い。一対のサイドフラップ１４には、製品長手方向Ｌに沿って伸縮するレッグギャザー１５（脚回り伸縮部）がそれぞれ設けられている。
【００３４】
サイドフラップ１４は、主に、フロントシート２６とバックシート２４から構成されている（図２Ａ〜図２Ｃ参照）。フロントシート２６は、前胴回り部３、股下部５及び後胴回り部７にわたって形成された表側の部材であり、不織布で構成されている。フロントシート２６は、レッグサイドギャザー１６（立体ギャザー）を構成する部材でもあり、フロントシート２６の外側の部位（図１の太点線の接合部２６Ａより外側の部位）がサイドフラップ１４を構成する。
【００３５】
サイドフラップ１４は、フロントシート２６とバックシート２４との間に、弾性部材２７が配置されている。弾性部材２７は、製品長手方向Ｌに沿って伸縮する帯状の部材である。弾性部材２７が股下部５のフロントシート２６及びバックシート２４に伸縮性を付与することによって、レッグギャザー１５が構成される。弾性部材２７は、たとえば、伸縮性の不織布によりシート状に構成されているが、糸ゴムを製品長手方向Ｌに沿って複数配置するなどして構成しても良い。
【００３６】
レッグサイドギャザー１６は、足繰りの隙間からの液漏れを防ぐための立体ギャザーである。一対のレッグサイドギャザー１６は、前胴回り部３、股下部５及び後胴回り部７にわたって製品長手方向Ｌに沿って形成されている（図１参照）。レッグサイドギャザー１６は、サイドフラップ１４の内側で中央帯状領域１２の両縁を覆うように形成されている。
【００３７】
レッグサイドギャザー１６は、主にフロントシート２６の内側の部位から構成されている（図２Ａ〜図２Ｃ参照）。股下部５のフロントシート２６の内縁は糸ゴム等によって伸縮性を有している。フロントシート２６は、中央帯状領域１２とサイドフラップ１４との間の接合部２６Ａで製品長手方向Ｌに沿って接合されている（図１の太点線）。フロントシート２６の接合部２６Ａよりも内側の領域が、接合部２６Ａを支点にしてレッグサイドギャザー１６（立体ギャザー）を構成する。
【００３８】
ウェストギャザー１８は、後胴回り部７において製品幅方向Ｗに沿って配置された胴回り伸縮部である（図１参照）。後胴回り部７では、吸収体２１とバックシート２４との間に、ウェストギャザーフィルム２８が配置されている（図２Ｃ参照）。ウェストギャザーフィルム２８は、製品幅方向Ｗに沿って伸縮する帯状の伸縮部材である。ウェストギャザーフィルム２８がバックシート２４等に伸縮性を付与することによって、ウェストギャザー１８が構成される。ウェストギャザーフィルム２８の幅方向Ｗの長さは、吸収体２１よりも長い。このため、ウェストギャザー１８は、吸収体２１から製品幅方向Ｗの外側にも突出して形成されている。
【００３９】
ファスニングテープ３０は、製品幅方向Ｗにおいて、後胴回り部７（サイドフラップ１４）の端部に取り付けられている（図１参照）。サイドフラップ１４を構成するフロントシート２６とバックシート２４との間にファスニングテープ３０の一部が挟み込まれることによって（図２Ｃ参照）、ファスニングテープ３０が取り付けられている。
【００４０】
図３Ａに示すように、ファスニングテープ３０は、基端領域Ａと、中間領域Ｂと、フックシート領域Ｃと、先端領域Ｄとに区分できる。また、図３Ｂに示すように、ファスニングテープ３０は、基材シート３２と、フックシート３４と、ターゲットシート３６とを有する。
【００４１】
基端領域Ａは、サイドフラップ１４と接合される領域である。基端領域Ａは、サイドフラップ１４を構成する２枚のシート（フロントシート２６及びバックシート２４）に挟み込まれており、基端領域Ａの両面がサイドフラップ１４と接合されている。なお、基端領域Ａがサイドフラップ１４の裏側の面上に接合されて、基端領域Ａの一方の面のみがサイドフラップ１４に接合されていても良い。基端領域Ａ以外の領域（中間領域Ｂ、フックシート領域Ｃ、先端領域Ｄ）は、後胴回り部７のサイドフラップ１４から製品幅方向Ｗの外側に突出するように配置されている。
【００４２】
中間領域Ｂは、基端領域Ａとフックシート領域Ｃとの間の領域である。フックシート領域Ｃは、フックシート３４が設けられた領域であり、ターゲットテープ２９に係合する領域（係合領域）である。中間領域Ｂにはフックシート３４が無いため、中間領域Ｂの曲げ剛性はフック領域よりも小さく、中間領域Ｂは折り曲げやすい。先端領域Ｄは、フックシート３４よりも外側の領域である。先端領域Ｄは、ファスニングテープ３０の着脱時に指で摘まむ「つまみ」として機能する。なお、図３Ａの領域Ｘは、サイドフラップ１４の領域である。また、本実施形態において、ファスニングテープ３０のテープ幅方向の長さ（フックシート領域Ｃのテープ幅方向の長さ）は、ターゲットテープ２９（後述の着色領域ＣＥ）の製品長手方向Ｌの長さよりも短く形成されている。
【００４３】
基材シート３２は、ファスニングテープ３０の基材となるシートである。基材シート３２は、不織布又は不織布にフィルムをラミネートしたシートから構成されている。また、基材シート３２は、１枚又は複数枚重ねたシート（不織布又は不織布にフィルムをラミネートしたシート）によって構成されている。基材シート３２は、ファスニングテープ３０の基端領域Ａから先端領域Ｄまでの全領域に配置されている。
【００４４】
フックシート３４は、ターゲットテープ２９に係合するシートである。フックシート３４は、他方のファスニングテープ３０にも係合可能である。フックシート３４の表面（基材シート３２側とは反対側の面）には多数の係合フック（不図示）が設けられており、係合フックがターゲットテープ２９に引っ掛かることによって、ファスニングテープ３０がターゲットテープ２９に係合することになる。フックシート３４は、基材シート３２に接合されている。
【００４５】
ターゲットシート３６は、他方のファスニングテープ３０のフックシート３４を係合可能なシートである。ターゲットシート３６は、１枚又は複数枚の不織布を重ねたシートで構成されている。ターゲットシート３６は、フックシート３４とは反対側で基材シート３２に接合されている。
【００４６】
ターゲットシート３６は、少なくともフックシート領域Ｃ及び先端領域Ｄに配置されている。図中のターゲットシート３６は、基端領域Ａの一部（基端領域Ａの中間領域Ｂ側の一部）、中間領域Ｂ、フックシート領域Ｃ及び先端領域Ｄに配置されている。このように、ターゲットシート３６が基端領域Ａから先端領域Ｄまで設けられるとともに、ターゲットシート３６が基端領域Ａで基材シート３２とともにサイドフラップ１４に接合されていれば、他方のファスニングテープ３０の着脱時にターゲットシート３６が基材シート３２から剥離しにくくなるので望ましい。
【００４７】
ターゲットシート３６は、基端領域Ａの一部（中間領域Ｂ側とは反対側の一部）には設けられていない。ターゲットシート３６の設けられていない領域には、ウェストギャザーフィルム２８（図２Ｃ参照）が配置されている。つまり、基端領域Ａとバックシート２４との間に、ターゲットシート３６の端部とウェストギャザーフィルム２８の端部が重ならずに挟まれている。これにより、基材シート３２の基端領域Ａとバックシート２４との間で、段差を軽減して、ターゲットシート３６とウェストギャザーフィルム２８の両方を挟み込みやすくなっている。
【００４８】
前胴回り部３には、ターゲットテープ２９が設けられている（図１参照）。ターゲットテープ２９は、前胴回り部３のバックシート２４の裏側に配置されている（図２Ａ参照）。ターゲットテープ２９は、ファスニングテープ３０と係合可能な部材であり、不織布で形成されている。ファスニングテープ３０をターゲットテープ２９（或いは後述のターゲット領域Ｅ３）に係合させることによって、使い捨ておむつ１を児に着用させることになる。
【００４９】
＜使い捨ておむつ１の領域について＞
図４Ａ〜図４Ｃ及び図５は、使い捨ておむつ１の裏面の展開平面図（厚さ方向の裏側から見た図）である。図６は、着用時の形態となっている使い捨ておむつ１を正面（前胴回り部３側）から見た図である。使い捨ておむつ１の裏側からは、防漏シート２３や基材シート３２に印刷された所定の模様を、バックシート２４やターゲットシート３６を介して視認することができる。なお、模様はバックシート２４やターゲットシート３６に直接印刷されていてもよい。
【００５０】
使い捨ておむつ１は、前側領域Ｅ１、後側領域Ｅ２、ターゲット領域Ｅ３、足回り領域Ｅ４、及びファスニングテープ３０（領域Ｅ５。図６の太線内が領域Ｅ５を示す）。に分けることができる。前側領域Ｅ１は、使い捨ておむつを児に着用した場合であってもファスニングテープ等で隠れる面積が少ないため、使い捨ておむつ１を着用した児が仰向けに寝ている場合に目に入りやすい領域である。後側領域Ｅ２は、うつ伏せに寝ている児を見る際等に最も目に入る領域である。また、ターゲット領域Ｅ３は、使い捨ておむつ１を着用する際、ファスニングテープ３０を係合するために注視する領域である。足回り領域Ｅ４は、児が足を動かした場合に足と一緒に動くため目に入りやすい領域である。ファスニングテープ３０は、使い捨ておむつ１を児に着用する際に把持する部分であることから、注視しやすい部分である。
【００５１】
前側領域Ｅ１は、製品長手方向Ｌの中心を基準とした前胴回り部３側であって、且つターゲット領域Ｅ３よりも製品長手方向Ｌの中心側にある（図４Ａ参照。図４Ａの太線内が前側領域Ｅ１を示す）。
【００５２】
後側領域Ｅ２は、製品長手方向Ｌの中心を基準とした後胴回り部７側、且つ白色領域ＷＥ２（後述）よりも製品長手方向Ｌの中心側の領域であって、ファスニングテープ３０を含まない（図４Ｂ参照。図４Ｂの太線内が後側領域Ｅ２を示す）。
【００５３】
ターゲット領域Ｅ３は、前胴回り部３に設けられ、ファスニングテープ３０を係合可能である。本実施形態のように、ターゲットテープ２９が有る場合、ターゲット領域Ｅ３は、ターゲットテープ２９に対応する領域である（図４Ｃ参照。図４Ｃの太線内がターゲット領域Ｅ３を示す）。ターゲットテープ２９が無い場合、ターゲット領域Ｅ３は、使い捨ておむつ１に描かれたファスニングテープ３０を係合するための目印（模様）を包括する矩形領域である。
【００５４】
足回り領域Ｅ４は、使い捨ておむつ１において弾性部材２７が占める領域に対応する（図５参照。図５の太線内が足回り領域Ｅ４を示す）。弾性部材２７がシート状の場合、足回り領域Ｅ４は、シートの外周で囲まれた領域に対応する。弾性部材２７が複数の糸ゴムの場合、足回り領域Ｅ４は、最も内側の糸ゴムと最も外側の糸ゴムとに挟まれた領域に対応する。本実施形態において、前側領域Ｅ１及び後側領域Ｅ２と、足回り領域Ｅ４とは一部が重複している。
【００５５】
＜着色領域について＞
前側領域Ｅ１内、後側領域Ｅ２内、ターゲット領域Ｅ３内、ファスニングテープ３０、及び足回り領域Ｅ４内の少なくとも一つには、視認可能な着色領域ＣＥが設けられる。着色領域ＣＥは、ある領域内（たとえば、前側領域Ｅ１内）において白色以外の色で着色された領域である。着色領域ＣＥは、使い捨ておむつ１の模様を形成する。本実施形態において、前側領域Ｅ１、後側領域Ｅ２、ターゲット領域Ｅ３、及び足回り領域Ｅ４の着色領域ＣＥは、防漏シート２３に印刷されている。ファスニングテープ３０の着色領域ＣＥは、基材シート３２に印刷されている。
【００５６】
前側領域Ｅ１、後側領域Ｅ２、及び足回り領域Ｅ４には主にドット柄の着色領域ＣＥが設けられており（図４Ａ、４Ｂ、５参照）、ターゲット領域Ｅ３には矩形の着色領域ＣＥが設けられている（図４Ｃ参照）。また、ファスニングテープ３０には、その形状に沿った着色領域ＣＥが設けられている（図６参照）。
【００５７】
なお、図４Ａ〜図４Ｃにおける模様（着色領域ＣＥの配置）と、図５における模様（着色領域ＣＥの配置）と、図６における模様（着色領域ＣＥの配置）とは一部が異なっている。たとえば、図５において、足回り領域Ｅ４内の着色領域ＣＥは、図４Ａ等の足回り領域Ｅ４内の着色領域ＣＥよりも多く設けられている。また、図４Ａ〜図４Ｃ及び図５のファスニングテープ３０は、着色領域ＣＥが設けられていない例を示している。一方、図６のファスニングテープ３０は着色領域ＣＥが設けられている。また、図６のターゲット領域Ｅ３には着色領域ＣＥが設けられていない。
【００５８】
着色領域ＣＥは、所定の色で着色された第１領域ＣＥ１と、所定の色に該当しない色で着色された第２領域ＣＥ２とを含む。図４Ａ〜図４Ｃ、図５及び図６に示す各領域内（前側領域Ｅ１内、後側領域Ｅ２内、ターゲット領域Ｅ３内、ファスニングテープ３０、及び足回り領域Ｅ４内）において、第１領域ＣＥ１は網掛けのハッチングで示し、第２領域ＣＥ２はドットのハッチングで示す。
【００５９】
前側領域Ｅ１、後側領域Ｅ２及び足回り領域Ｅ４においては、ドット柄の第１領域ＣＥ１及び第２領域ＣＥ２がそれぞれ複数設けられている（図４Ａ、図４Ｂ、図５等参照）。ターゲット領域Ｅ３においては、製品幅方向Ｗに沿った矩形の第１領域ＣＥ１と、製品長手方向Ｌ及び製品幅方向Ｗにおいて第１領域ＣＥ１よりもターゲット領域Ｅ３の中央側に形成されたハート型の第２領域ＣＥ２とが設けられている（図４Ｃ参照）。ファスニングテープ３０においては、基端領域Ａ以外の領域（中間領域Ｂ、フックシート領域Ｃ、先端領域Ｄ）に第１領域ＣＥ１が設けられ、基端領域Ａに第２領域ＣＥ２が設けられている（図６参照）。
【００６０】
所定の色とは、ＰＡＮＴＯＮＥ（登録商標）の色見本帳における１９６Ｕ、２１７Ｕ、２５０Ｕ、４９６Ｕ、５０２Ｕ、５０３Ｕ、５１０Ｕ、５１７Ｕ、６７０Ｕ、６７１Ｕ、６７７Ｕ、６７８Ｕ、６８４Ｕ、６８５Ｕ、６９１Ｕ、６９２Ｕ、６９８Ｕ、６９９Ｕ、７０５Ｕ、７０６Ｕ、２６３５Ｕ、７４２２Ｕ、７４２９Ｕ、７４３０Ｕ、７４３６Ｕのいずれかに該当する色である。ＰＡＮＴＯＮＥ（登録商標）の色見本帳におけるこれらの色は、薄い桃色として視認される。
【００６１】
ＰＡＮＴＯＮＥ（登録商標）の色見本帳に示された所定の色であるかどうかの判断は、たとえば、目視した着色領域ＣＥ（第１領域ＣＥ１）の色を、当該色見本帳と照らし合わせることで行う。具体的には、複数人（たとえば１０人）それぞれが、着色領域ＣＥ（第１領域ＣＥ１）の色を目視し、色見本帳でどの色に当たるか判断する。そして、最も多くの人が選んだ色がその領域の色であると判断する。なお、本実施形態において、所定の色はバックシート２４やターゲットシート３６を介して目視した場合の色である。一方、バックシート２４やターゲットシート３６に着色されている場合には、その色自体が所定の色となっていることが望ましい。
【００６２】
また、各領域内（前側領域Ｅ１内、後側領域Ｅ２内、ターゲット領域Ｅ３内、ファスニングテープ３０、及び足回り領域Ｅ４内）の着色領域ＣＥは、当該領域内において、第１領域ＣＥ１の面積が第２領域ＣＥ２の面積よりも大きくなるよう形成されている（図４Ａ〜図４Ｃ、図５及び図６参照）。
【００６３】
前側領域Ｅ１、後側領域Ｅ２、及び足回り領域Ｅ４のように、ある領域内に複数の第１領域ＣＥ１、及び複数の第２領域ＣＥ２がある場合には、第１領域ＣＥ１の面積の和が第２領域ＣＥ２の面積の和よりも大きくなっていればよい。なお、第２領域ＣＥ２が無い場合には、第２領域ＣＥ２の面積は０であるとする。
【００６４】
具体例として、ある領域（たとえば、前側領域Ｅ１）における着色領域ＣＥは、着色領域ＣＥの面積に対する第１領域ＣＥ１の面積を示す面積率が５０％以上を占めるように形成されていればよい。たとえば、前側領域Ｅ１の着色領域ＣＥには、複数の第１領域ＣＥ１と複数の第２領域ＣＥ２がある（図４Ａ参照）。この場合、第１領域ＣＥ１の総面積を第１領域ＣＥ１及び第２領域ＣＥ２の総面積で除算した割合を百分率で示したものが面積率である。この面積率が５０％以上となっていれば、前側領域Ｅ１内において、第１領域ＣＥ１の面積が第２領域ＣＥ２の面積よりも大きくなっているといえる。
【００６５】
着色領域ＣＥをこのように形成することで、着色領域ＣＥを有するある領域（たとえば前側領域Ｅ１）を見た者（看護師、母親等）は、所定の色（薄い桃色）を最も強く認識する（前側領域Ｅ１が薄い桃色っぽい色であると認識する）。薄い桃色は、一般に元気や若さのイメージを有することから、低体重児を健康的に見せる効果がある。色彩心理学では、桃色は平和主義や幸せを象徴する色であり、人に幸福感を与えるように作用する色である。また、医学的な観点からは、桃色は卵巣ホルモンに働きかけてホルモンを分泌させ、脳に刺激を与える色である。よって、女性ホルモンを活性化することで母性の形成が促される効果もある。すなわち、桃色の色味を低体重児が唯一身につける使い捨ておむつ１の主要な色として取り入れることによって、低体重児を持つことによる強い不安を感じている親の心を明るくしたり、癒したり、和みの気持ちにしてくれ、一時的にでもストレスを緩和させ、安心感を与える効果が期待できる。また、低体重児は出生後、ＮＩＣＵ、ＧＣＵに入れられているため、普段の生活を共にすることができない低体重児に対する母親の母性形成を促す効果が期待できる。
【００６６】
ＰＡＮＴＯＮＥ（登録商標）の色見本帳で規定される所定の色（薄い桃色）を用いる限り、前側領域Ｅ１、後側領域Ｅ２、ターゲット領域Ｅ３、ファスニングテープ３０、及び足回り領域Ｅ４それぞれの着色領域ＣＥにおける主要色は異なっていてもよい。たとえば、前側領域Ｅ１では主要色として１９６Ｕを用い、後側領域Ｅ２では主要色として７４３６Ｕを用いることができる。また、一つの着色領域ＣＥが複数の領域に跨る場合もありうる。たとえば、図４Ａ（或いは図５）に示すように、前側領域Ｅ１と足回り領域Ｅ４双方に跨る着色領域ＣＥが存在する。この場合であっても、各領域における第１領域ＣＥ１の面積の合計が第２領域ＣＥ２の面積の合計よりも大きくなっていればよい。また、足回り領域Ｅ４等、複数の領域からなる部分については、領域毎に第１領域ＣＥ１の面積（面積の合計）が第２領域ＣＥ２の面積（面積の合計）よりも大きくなっていることが望ましい。たとえば、図５に示す足回り領域Ｅ４であれば、右側（左側）だけで第１領域ＣＥ１の面積の合計が第２領域ＣＥ２の面積の合計よりも大きくなっていることが望ましい。
【００６７】
なお、ＰＡＮＴＯＮＥ（登録商標）の色見本帳で規定される上記の色をＲＧＢ表色系で表すことも可能である。この場合、ＲＧＢ表色系に基づくＲの値が２５５〜２３２、Ｇの値が１９０〜２４５、及びＢの値が１８５〜２４５の範囲にある色が第１領域ＣＥ１に着色された色（所定の色）となる。ＲＧＢの値は、たとえば、市販の色彩計を用いることで計測することができる。
【００６８】
また、看護師等が着用者の血尿・血便等と誤認する可能性があるため、着色領域ＣＥには赤系の色を用いることは好ましくない。すなわち、着色領域ＣＥは、ＰＡＮＴＯＮＥ（登録商標）の色見本帳における１９７Ｕ及び７０７Ｕよりも濃い赤色を含まないことが望ましい。ＰＡＮＴＯＮＥ（登録商標）の色見本帳における１９７Ｕ及び７０７Ｕよりも濃い赤色は、ＲＧＢ表色系に基づくＲの値が２３９以上、Ｇの値が１７３以下、及びＢの値が１７５以下の範囲にある色に対応する。
【００６９】
また、本実施形態に係る前側領域Ｅ１及び後側領域Ｅ２には、情報表示領域ＩＥ（図４Ａ及び図４Ｂにおいて縦線のハッチングで示す領域）が設けられている。情報表示領域ＩＥは、第１領域ＣＥ１と同じ色で着色された領域である。情報表示領域ＩＥは、使い捨ておむつ１の前後、使い捨ておむつ１のサイズ、及び使い捨ておむつ１の種類（商品名、販売する会社名等）の少なくとも一つを判別するための情報を示す。また、情報表示領域ＩＥは、ターゲット領域Ｅ３、ファスニングテープ３０、及び足回り領域Ｅ４にも設けられていてもよい。情報表示領域ＩＥは、使い捨ておむつ１を児に着用させる際等に使用者（看護師や母親）が注視する部分である。よって、この領域を薄い桃色で着色することにより、母親等が当該領域を注視した際に安心感を与えることができる。
【００７０】
＜白色領域について＞
着色領域ＣＥが設けられている各領域（前側領域Ｅ１、後側領域Ｅ２、ターゲット領域Ｅ３、ファスニングテープ３０、及び足回り領域Ｅ４）よりも着用者（低体重児）の肌側方向には、白色領域ＷＥ１〜ＷＥ５が設けられている。着用者の肌側方向は、使い捨ておむつ１を着用した場合に、着用者の肌が位置する方向をいう。
【００７１】
前側領域Ｅ１に対応する白色領域ＷＥ１は、前側領域Ｅ１よりも着用者の肌側方向に位置する（図４Ａの斜め点線でハッチングされた領域）。本実施形態において、白色領域ＷＥ１は、前側領域Ｅ１との間にターゲット領域Ｅ３（ターゲットテープ２９）を挟み、前胴回り部３の製品長手方向Ｌの端部に形成されている。白色領域ＷＥ１の製品幅方向Ｗの長さは前側領域Ｅ１の製品幅方向Ｗの長さとほぼ等しい。
【００７２】
後側領域Ｅ２に対応する白色領域ＷＥ２は、後胴回り部７の製品長手方向Ｌにおける端部に設けられる（図４Ｂの斜め点線でハッチングされた領域）。本実施形態において、白色領域ＷＥ２は、後胴回り部７の製品長手方向Ｌにおける端部の全長に渡って形成されている。白色領域ＷＥ２の製品幅方向Ｗの長さは後側領域Ｅ２の製品幅方向Ｗの長さとほぼ等しい。
【００７３】
ターゲット領域Ｅ３に対応する白色領域ＷＥ３は、ターゲット領域Ｅ３よりも着用者の肌側方向に位置する（図４Ｃの斜め点線でハッチングされた領域）。本実施形態において、白色領域ＷＥ３は、前胴回り部３の製品長手方向Ｌの端部に形成されている。白色領域ＷＥ３の製品幅方向Ｗの長さはターゲット領域Ｅ３の製品幅方向Ｗの長さとほぼ等しい。白色領域ＷＥ３は、白色領域ＷＥ１と一部が重複している。
【００７４】
足回り領域Ｅ４に対応する白色領域ＷＥ４は、足回り領域Ｅ４よりも着用者の肌側方向に位置する（図５の斜め点線でハッチングされた領域）。白色領域ＷＥ４は、製品幅方向Ｗにおいて足回り領域Ｅ４（弾性部材２７）よりも外側に形成されている。白色領域ＷＥ４の製品長手方向Ｌの長さは足回り領域Ｅ４の製品長手方向Ｌの長さとほぼ等しい。
【００７５】
ファスニングテープ３０（領域Ｅ５）に対応する白色領域ＷＥ５は、ファスニングテープ３０をターゲット領域Ｅ３に係合させることにより使い捨ておむつ１を児に着用させた場合に、ファスニングテープ３０よりも着用者の肌側方向に位置する（図６の斜め点線でハッチングされた領域）。本実施形態における白色領域ＷＥ５は、前胴回り部３の製品長手方向Ｌの端部に形成されている。白色領域ＷＥ５は、白色領域ＷＥ１及び白色領域ＷＥ３と一部が重複している。白色領域ＷＥ５の製品幅方向Ｗの長さは、一対のファスニングテープ３０を係合した状態において、一方のファスニングテープ３０の基端領域Ａ側の端部から他方のファスニングテープ３０の基端領域Ａ側の端部までの長さとほぼ等しい。
【００７６】
白色領域ＷＥ１〜ＷＥ５は、着用者の肌の色を所定の割合で透過させる。具体的な割合として、白色領域ＷＥ１〜ＷＥ５光線透過率は、２５％〜８０％未満にされている。光線透過率が８０％より高いと肌の色がほぼ透けてしまい、着色領域ＣＥ及び肌と白色領域ＷＥ１〜ＷＥ５とのコントラストが弱く、白色領域を設ける効果が薄れる。逆に、光線透過率が２５％未満であると、白色領域で肌の透け感が弱くなることから、グラデーションの効果が薄れる。なお、光線透過率は３５％〜８０％であることがより好ましい。光線透過率の測定はＪＩＳＫ７１０５のＡ法に基づいて行う。測定機器としては、たとえば、Ａ３００／ＺＥ−２０００型交照側光方式色差計（日本電色工業株式会社製）を用いる。
【００７７】
また、白色領域ＷＥ１〜ＷＥ５は、その光線透過率が着色領域ＣＥの光線透過率よりも高くなるように形成されている。このように光線透過率を高めることにより、白色領域ＷＥ１〜ＷＥ５において肌の色が透けて見える。よって、使い捨ておむつ１を着用した場合には、使い捨ておむつ１の中心から着用者の肌側方向に向けて、着色領域ＣＥ（第１領域ＣＥ１）、白色領域（ＷＥ１〜ＷＥ５）、肌の順となる。すなわち、薄い桃色〜肌が透けた色（白色領域の白と肌の色とが混色した色）〜肌の色のグラデーションが形成される。よって、肌の色を明るく見せることができる。
【００７８】
本実施形態における製品長手方向Ｌにおける防漏シート２３の前胴回り部３側の端部は、白色領域ＷＥ３（白色領域ＷＥ１、ＷＥ５）の一部にのみかかるように配置される（図４Ｃ等参照）。また、製品長手方向Ｌにおける防漏シート２３の後胴回り部７側の端部は、白色領域ＷＥ２の一部にのみかかるように配置される（図４Ｂ参照）。
【００７９】
ここで、図４Ｃにおいて、白色領域ＷＥ３Ａは防漏シート２３がかかった領域（防漏シート２３及びバックシート２４からなる領域）である。白色領域ＷＥ３Ｂは防漏シート２３がかかってない領域（バックシート２４のみからなる領域）である。光線透過率は、白色領域ＷＥ３Ａよりも白色領域ＷＥ３Ｂのほうが高い。
【００８０】
このような構成の使い捨ておむつ１を着用した場合には、使い捨ておむつ１の中心から着用者の肌側方向に向けて、着色領域ＣＥ、白色領域ＷＥ３Ａ、白色領域ＷＥ３Ｂ、肌の順になるため、グラデーションがより明確になり、肌の色をより明るく見せる効果が得られる。この場合の光線透過率は、たとえば、着色領域ＣＥが１５〜２５％、白色領域ＷＥ３Ａが２５〜３５％、白色領域ＷＥ３Ｂが３９〜８０％となるよう設定される。
【００８１】
また、白色領域ＷＥ１〜ＷＥ５は、光線透過率が高い部分と低い部分とが所定のパターンで配置されていてもよい。これにより、各白色領域における光線透過率の強弱がつくため、グラデーションがよりはっきりする。所定のパターンは、たとえば、白色領域に凹凸で構成された縞模様を施す。この凹凸は、白色領域を構成する２以上の不織布の最外層の不織布に、繊維量の多い凸条と、繊維量の少ない凹溝とを交互に形成することによって構成することができる。
【００８２】
＜使い捨ておむつのその他の構成＞
本実施形態では、前胴回り部３の端部（白色領域の一部）に、製品長手方向Ｌに凹んだ凹部４０が形成されている。凹部４０は、使い捨ておむつ１の着用時には着用者の臍に位置する。製品長手方向Ｌにおける凹部４０の底面から着色領域ＣＥまでの長さαは、製品長手方向Ｌにおける白色領域ＷＥ３の長さβよりも短く形成されている（図４Ｃ参照）。従って、凹部４０では、着色領域ＣＥと着用者の肌が近づくため、着色領域ＣＥの色をよりよく見せることができる。更に、前胴回り部３の端部が直線状の場合と比較して、肌に対して白色領域ＷＥ３が接する範囲が増えるため、グラデーションの効果をより得ることができる。
【００８３】
また、ターゲット領域Ｅ３の製品長手方向Ｌの中心線（図４Ｃの一点鎖線）の位置は、製品長手方向Ｌにおける前胴回り部３の端部（バックシート２４の前側端部）から３０ｍｍ以上であって６０ｍｍ以下の位置にあることが望ましい。ターゲット領域Ｅ３と前胴回り部３の端部との距離が６０ｍｍよりも長いと、肌を覆う面積が多くなり（白色領域ＷＥ３が長くなり過ぎ）着用者の肌を過度に覆ってしまう。一方、ターゲット領域Ｅ３と前胴回り部３との距離が３０ｍｍよりも短いと肌を覆う面積が少なくなる（白色領域ＷＥ３が少ない）。よって、いずれの場合もグラデーションの効果が薄くなる。一方、ターゲット領域Ｅ３と前胴回り部３との距離が３０ｍｍ以上であって６０ｍｍ以下の場合には、薄い桃色（ターゲット領域Ｅ３の第１領域ＣＥ１）〜肌が透けた色（白色領域ＷＥ３）〜腹部の肌の色のグラデーションにより肌の色をより良く見せることができる。
【００８４】
なお、ファスニングテープ３０に着色領域ＣＥが設けられている場合も同様に、ファスニングテープ３０における製品幅方向Ｗの中心線の位置（テープ幅方向の中心の位置。図３Ａ参照）が、製品長手方向Ｌにおける後胴回り部７の端部（バックシート２４の後側端部）から３０ｍｍ以上であって６０ｍｍ以下の位置にあることが望ましい。この場合、使い捨ておむつ１の着用時（すなわち、ターゲット領域Ｅ３にファスニングテープ３０を係合した状態。図６等参照）、薄い桃色（ファスニングテープ３０の第１領域ＣＥ１）〜肌が透けた色（白色領域ＷＥ５）〜腹部の肌の色のグラデーションにより肌の色をより良く見せることができる。
【００８５】
＜使い捨ておむつの着用について＞
ここで、使い捨ておむつ１を実際に着用する際には、ターゲットテープ２９（ターゲット領域Ｅ３）にファスニングテープ３０を係合する。このとき、一対のファスニングテープ３０を重ね合わせて止める場合（ファスニングテープ３０同士を係合させる場合）がある。この場合、まず下側のファスニングテープ３０を前胴回り部３のターゲットテープ２９の中央部に係合させ、そのファスニングテープ３０上に他方のファスニングテープ３０を係合させることになる。このため、一対のファスニングテープ３０は、着用者の前胴回り部３の中央部に自然に位置することになる。この結果、ファスニングテープ３０が使い捨ておむつ１の本体から延出する部位は、着用者の鼠径部から離れた位置になる。これにより、足をＭ字型に曲げたポジショニング姿勢で足が動いたとしても、ファスニングテープ３０は、鼠径部からめくり上がる力を受けにくくなる。
【００８６】
図７Ａ〜図７Ｃは、ターゲット領域Ｅ３近傍の拡大図である。図７Ａはターゲット領域Ｅ３を示す図である。図７Ｂは、下側になるファスニングテープ３０をターゲットテープ２９に係合したときの図である。図７Ｃは、図７Ｂのファスニングテープ３０上に他方のファスニングテープ３０を係合したときの図である。なお、この例では、ファスニングテープ３０には着色領域ＣＥが設けられていないものとする。
【００８７】
ターゲット領域Ｅ３における着色領域ＣＥは、製品幅方向Ｗに沿った第１領域ＣＥ１と、製品長手方向Ｌ及び製品幅方向Ｗにおいて第１領域ＣＥ１よりもターゲット領域Ｅ３の中央側に形成された第２領域ＣＥ２とを有する（図７Ａ参照）。そして、第２領域ＣＥ２は、ファスニングテープ３０をターゲット領域Ｅ３に係合した場合に当該ファスニングテープにより少なくともその一部が覆われる位置に設けられている（図６では一部が覆われている。図７Ｂ及び７Ｃでは全部が覆われている）。
【００８８】
ここで、図７Ｃに示すように、ファスニングテープ３０のテープ幅方向の中心を合わせた状態で一対のファスニングテープ３０を重ねたときに、上側のファスニングテープ３０が、下側のファスニングテープ３０の端部をテープ幅方向に跨いでおり、その跨いだ両側でターゲットテープ２９に係合されている。図中には、上側のファスニングテープ３０（フックシート３４）がターゲットテープ２９に係合されている領域に右斜めのハッチングが施されている。
【００８９】
ターゲットテープ２９との係合力Ｐ１は他方のファスニングテープ３０との係合力Ｐ２よりも大きい（Ｐ１＞Ｐ２。後述）。このような状況下で、本実施形態の上側のファスニングテープ３０は、図７Ｃの右斜めのハッチングの領域でターゲットテープ２９と係合するので、下側のファスニングテープ３０のみと係合する場合と比べて、係合力が高くなる。加えて、ファスニングテープ３０の根元側（サイドフラップ１４側）は端部よりも鼠径部の近くに位置するため、ファスニングテープ３０の根元側は、端部と比べると、めくり上がる力を大きく受けることになる。但し、本実施形態では、ファスニングテープ３０の根元側（めくり上がる力を大きく受ける部位）において、上側のファスニングテープ３０は下側のファスニングテープ３０を跨いでターゲットテープ２９に係合されているため（図７Ｃの右斜めのハッチング参照）、ファスニングテープ３０の根元側での係合力は高いので、ファスニングテープ３０が外れにくい。
【００９０】
一方、上側のファスニングテープ３０が下側のファスニングテープ３０の端部をテープ幅方向に跨ぐ構造上、逆に、上側のファスニングテープ３０の端部は、下側のファスニングテープ３０の上にのみ位置する構造になる。上側のファスニングテープ３０の端部は、ターゲットテープ２９と係合している根元側と比べると、係合力が低いことになる。このため、ファスニングテープ３０の端部を摘まんでファスニングテープ３０を外し易い。
【００９１】
このように、ファスニングテープ３０が外し易く、児にストレスを与えずにファスニングテープ３０を外すことが可能になるため、本実施形態の使い捨ておむつ１は、ミニマムハンドリング（できるだけ児に触れないこと）を求められる低体重児に好適である。その一方、Ｍ字型に曲げた状態の足が動いた場合であってもファスニングテープ３０が外れにくいため、本実施形態の使い捨ておむつ１は、ポジショニング姿勢の求められる低体重児に好適である。
【００９２】
本実施形態では、図７Ｃに示すように、下側のファスニングテープ３０のフックシート領域Ｃのサイドフラップ１４側の端部の位置に、上側のファスニングテープ３０の端部を合わせた状態で、且つ、ファスニングテープ３０のテープ幅方向の中心を合わせた状態で、一対のファスニングテープ３０が重ねられている。そして、このように一対のファスニングテープ３０を重ねたときに、本実施形態では、上側のファスニングテープ３０が、下側のファスニングテープ３０の端部をテープ幅方向に跨いだ両側でターゲットテープ２９に係合されている。なお、本実施形態では、使い捨ておむつ１の設計上のウエスト寸法を、一方のファスニングテープ３０の端部を他方のファスニングテープ３０のフックシート領域Ｃのサイドフラップ１４側の端部に合わせた状態を基準としているため、この設計基準の下で、上側のファスニングテープ３０が、下側のファスニングテープ３０の端部をテープ幅方向に跨いだ両側でターゲットテープ２９に係合可能としている。但し、下側のファスニングテープ３０に対する上側のファスニングテープ３０の位置は、図７Ｃに示す位置に限られるものではない。仮に、上のファスニングテープ３０が、図７Ｃに示す位置よりも左右どちらかにずれていても、下側のファスニングテープ３０の端部をテープ幅方向に跨いだ両側でターゲットテープ２９に係合されていれば、ファスニングテープ３０の根元側での係合力が高くなり、ファスニングテープ３０が外れにくい。
【００９３】
また、本実施形態では、フックシート領域Ｃのサイドフラップ１４側の端部の幅（テープ幅方向の寸法）は、ファスニングテープ３０の端部の幅よりも大きい。ファスニングテープ３０をこのような形状にすることによって、ファスニングテープ３０のテープ幅方向の中心を合わせた状態で一対のファスニングテープ３０を重ねたときに、上側のファスニングテープ３０が、下側のファスニングテープ３０の端部をテープ幅方向に跨いだ両側でターゲットテープ２９に係合可能になる。
【００９４】
そして、本実施形態において、ファスニングテープ３０のテープ幅方向の長さは、ターゲット領域Ｅ３における着色領域ＣＥの製品長手方向Ｌの長さよりも短く形成されている。よって、第２領域ＣＥ２をファスニングテープ３０で覆った状態であっても、ファスニングテープ３０の上下には、所定の色で着色された着色領域ＣＥの一部（第１領域ＣＥ１）が現れる（図７Ｃ参照）。すなわち、ファスニングテープ３０で第２領域ＣＥ２を全て覆った場合にも、着用者の肌側に所定の色で着色された第１領域ＣＥ１が帯状に現れる。従って、使い捨ておむつ１の着用時にも薄い桃色（ターゲット領域Ｅ３の第１領域ＣＥ１）、肌が透けた色（白色領域ＷＥ３）、肌の色のグラデーションが得られるため、肌を明るく見せることができる。
【００９５】
＜ファスニングテープ３０の係合力＞
ファスニングテープ３０（具体的には、ファスニングテープ３０のフックシート３４）を係合させるためには、ファスニングテープ３０の係合力は、０．１Ｎ／１０ｍｍ以上であることが必要である。なお、ファスニングテープ３０の係合力が０．１Ｎ／１０ｍｍより小さいと、仮にファスニングテープ３０を係合させることができたとしても、ファスニングテープ３０が力を受けると外れてしまい、ファスニングテープ３０の係合が不十分になる。
【００９６】
ファスニングテープ３０は、前胴回り部３のターゲットテープ２９（ターゲット領域Ｅ３）に係合されることになる。このため、ファスニングテープ３０（フックシート３４）と前胴回り部３のターゲットテープ２９との係合力をＰ１（単位：Ｎ／１０ｍｍ）としたとき、Ｐ１が０．１Ｎ／１０ｍｍ以上であることが要求される。
【００９７】
更に、本実施形態のファスニングテープ３０は、他方のファスニングテープ３０のターゲットシート３６にも係合されることになる。このため、ファスニングテープ３０（フックシート３４）と他方のファスニングテープ３０のターゲットシート３６との係合力をＰ２（単位：Ｎ／１０ｍｍ）としたとき、Ｐ２も０．１Ｎ／１０ｍｍ以上であることが要求される。
【００９８】
一方、ファスニングテープ３０を外し易くするためには、ファスニングテープ３０の係合力は、０．５Ｎ／１０ｍｍ以下であることが望ましい。仮にファスニングテープ３０の係合力が０．５Ｎ／１０ｍｍを超えると、ファスニングテープ３０を外しにくくなり、ファスニングテープ３０を外す力によって児に負担をかけてしまい、低体重児に対するミニマムハンドリングに反する。このため、ファスニングテープ３０の係合力は、０．１〜０．５Ｎ／１０ｍｍの範囲内であることが望ましい。
【００９９】
また、本実施形態では、ファスニングテープ３０と前胴回り部３のターゲットテープ２９との係合力をＰ１とし、ファスニングテープ３０と他方のファスニングテープ３０のターゲットシート３６との係合力をＰ２としたとき、Ｐ１＞Ｐ２の関係である。このような関係になるのは、ファスニングテープが着用者に触れても着用者に与えるストレスを抑制できるように、ファスニングテープ３０の剛性を抑える必要があり、ファスニングテープのターゲットシート３６の材質や厚さに制約があるためである。ここでは、Ｐ１は０．５〜０．７Ｎ／３０ｍｍ（単位がＮ／１０ｍｍの場合には１／３の数値）であり、Ｐ２は０．８〜１．１Ｎ／３０ｍｍである。
【０１００】
ファスニングテープ３０の係合力は、島津製作所株式会社製のオートグラフ試験機（ＡＧ−Ｘ１０ｐｌｕｓ）を用いて測定したものを採用する。具体的には、測定対象のファスニングテープ３０からフックシート領域Ｃを可能な限り広い幅で長方形形状にて切り出したサンプルを準備する。同様に、ファスニングテープ３０を係合させるターゲット（ターゲットテープ２９又はターゲットシート３６）を、フックシート３４よりも大きなサイズで切り出したサンプルを準備する。次いで、７００ｇローラー（直径８５ｍｍ、幅４５ｍｍ）を５ｍｍ／分の速度で主なファスニングテープ３０の着脱方向に沿って動かして、両サンプルを圧着する。圧着した両サンプルを、上記オーフォグラフ試験機にセットし、引っ張り速度３００ｍｍ／分における両サンプルの係合力を測定し、サンプルの幅寸法を元に１０ｍｍ単位幅辺りの係合力に換算した値を係合力（単位：Ｎ／１０ｍｍ）とする。この際、引っ張る方向は、ターゲット面（ターゲットのサンプルを載置する治具面）に対して、フックシート面が１３５度の角度になるように設定する。フックシートのピール方向は、ファスニングテープ３０を操作する（着脱する）時における主な着脱方向とする。
【０１０１】
＝＝＝実施例及び比較例＝＝＝
色の違いによる児の肌うつりのよさ（肌が明るく見えること）、及び保育器外からの視認性を比較するために以下の実験を行った。
【０１０２】
後側領域Ｅ２のみに着色領域ＣＥ（第１領域ＣＥ１の面積が第２領域ＣＥ２の面積よりも大きい）を設けた使い捨ておむつに対し、所定の色としてＰＡＮＴＯＮＥ（登録商標）の色見本帳における６７０Ｕ（実施例１）、６９８Ｕ（実施例２）、４９６Ｕ（実施例３）、７０７Ｕ（比較例１）、１９７Ｕ（比較例２）、７１０Ｕ（比較例３）、１７８Ｕ（比較例４）、２９２Ｕ（比較例５）の色を付したものをそれぞれ準備した。なお、実施例１〜３の色は薄い桃色、比較例１及び２の色は濃い桃色、比較例３及び４の色は赤色、比較例５の色は青色に相当する。
【０１０３】
評価方法は、上記各色で着色された使い捨ておむつを着用させた児を看護師（或いは母親）が保育器外から視認し、個人の印象を総合的に判断することにより行った。具体的には、１０人の看護師（或いは母親）がそれぞれの使い捨ておむつを目視により観察し、６名以上が児の肌写りがよく、保育器外からも視認性が高いと判断したものを○、それ以外を×とした。
【０１０４】
同様に、ターゲット領域Ｅ３、ファスニングテープ３０及び足回り領域Ｅ４それぞれに上記と同じ着色を行って評価した結果をまとめたものが以下の表である。なお、表の(1)は、後側領域Ｅ２のみを着色した例であり、(2)は、ターゲット領域Ｅ３のみを着色した例であり、(3)はファスニングテープ３０のみを着色した例であり、(4)は足回り領域Ｅ４のみを着色した例である。
【０１０５】
0005934744.tif 000002
【０１０６】
上記表から明らかなように、薄い桃色を用いた使い捨ておむつ（実施例１〜３）は、他の色を付した使い捨ておむつ（比較例１〜５）よりも肌写りがよく、且つ保育器外からの視認性も高いという結果が得られた。比較例１及び２のように濃い桃色を用いる場合、保育器内で着色部分が暗くなり、保育器外からは視認し難いとの結果が得られた。また、比較例３〜５のように赤系や青系を用いる場合、肌写りも保育器外からの視認性も低く、且つ赤系は血と誤認しやすいという結果が得られた。
【０１０７】
上記実施形態は、例として提示したものであり、発明の範囲を限定するものではない。たとえば、上記実施形態では、使い捨ておむつ１は保育器内で使用する例を記載しているがこれに限られない。保育器外であっても部屋の状況（自然環境や照明の明るさ）によっては照度が暗くなる場合がある。上記実施形態に係る使い捨ておむつ１はこのような場合にも好適に用いることができる。これらの構成は、適宜組み合わせて実施することが可能であり、発明の要旨を逸脱しない範囲で、種々の省略、置き換え、変更を行うことができる。それらの実施形態やその変形は、発明の範囲や要旨に含まれると同様に、特許請求の範囲に記載された発明とその均等の範囲に含まれる。
【符号の説明】
【０１０８】
１  使い捨ておむつ、
３  前胴回り部、５  股下部、７  後胴回り部、
１２  中央帯状領域、１４  サイドフラップ、１５  レッグギャザー、
１６  レッグサイドギャザー、１８  ウェストギャザー、
２１  吸収体、２２  トップシート、２３  防漏シート、
２４  バックシート、２５  伸縮フィルム、２６  フロントシート、
２６Ａ  接合部、２７  弾性部材、２８  ウェストギャザーフィルム、
２９  ターゲットテープ、３０  ファスニングテープ、
Ｅ１  前側領域、Ｅ２  後側領域、Ｅ３  ターゲット領域、
Ｅ４  足回り領域、ＣＥ  着色領域、ＣＥ１  第１領域、
ＣＥ２  第２領域、ＷＥ１〜ＷＥ５  白色領域
【図１】
0005934744.tif 000003
【図２】
0005934744.tif 000004
【図３】
0005934744.tif 000005
【図４Ａ】
0005934744.tif 000006
【図４Ｂ】
0005934744.tif 000007
【図４Ｃ】
0005934744.tif 000008
【図５】
0005934744.tif 000009
【図６】
0005934744.tif 000010
【図７】
0005934744.tif 000011